(57)【特許請求の範囲】
【請求項１】
端末装置と表示装置とを備える表示システムであって、
前記端末装置は、
操作を受け付ける操作部と、
報知を行う報知部と、
前記操作部で受け付けた操作に対応する操作信号を前記表示装置に送信する送信部と、
前記表示装置から送信される通知信号を受信する通知受信部と、を備え、
前記表示装置は、
画像を表示する表示部と、
前記端末装置から受信した前記操作信号に応じてパラメーターを変更する調整部と、
変更した前記パラメーターに基づき前記表示部における画像の表示態様を調整する処理部と、
前記調整部により変更された前記パラメーターが変更可能範囲の上限又は下限に達したことを判定する判定部と、
前記判定部の判定結果に基づき前記通知信号を前記端末装置に送信する通知送信部と、を備え、
前記端末装置は、前記通知受信部により前記通知信号を受信した場合に、前記報知部により報知を行う、ことを特徴とする表示システム。
【請求項２】
前記表示装置は、光源と、画像データに基づき前記光源が発する光を変調する変調部と、前記変調部で変調された光を投射する光学部と、を備えるプロジェクターであり、
前記処理部は、前記調整部により調整された前記パラメーターに基づき前記変調部又は前記光学部を制御する、ことを特徴とする請求項１記載の表示システム。
【請求項３】
前記光学部は、投射レンズを有し、
前記パラメーターは、前記投射レンズのレンズ移動量に関するパラメーターであるレンズ移動量パラメーターを含み、
前記処理部は、前記調整部により調整された前記レンズ移動量パラメーターに基づき、前記投射レンズのレンズ移動量を調整する、ことを特徴とする請求項２記載の表示システム。
【請求項４】
前記光学部は、投射レンズを有し、
前記パラメーターは、前記投射レンズのズーム量に関するパラメーターであるズーム量パラメーターを含み、
前記処理部は、前記調整部により調整された前記ズーム量パラメーターに基づき、前記投射レンズのズーム量を調整する、ことを特徴とする請求項２又は３に記載の表示システム。
【請求項５】
前記パラメーターは、前記画像データに対する画像処理に関するパラメーターである画像処理パラメーターを含み、
前記処理部は、前記調整部により調整された前記画像処理パラメーターに基づき、前記画像データに対する画像処理を実行し、
前記変調部は、前記処理部による画像処理が施された前記画像データに基づき前記光源が発する光を変調する、ことを特徴とする請求項２から４のいずれか一項に記載の表示システム。
【請求項６】
前記画像処理パラメーターは、前記画像データに対する形状補正に関するパラメーターである形状補正パラメーターを含み、
前記処理部は、前記調整部により調整された前記形状補正パラメーターに基づき、前記画像データに対する形状補正を実行し、
前記表示部は、前記処理部による形状補正が施された前記画像データに基づく画像を表示する、ことを特徴とする請求項５記載の表示システム。
【請求項７】
前記表示装置は、外部の装置が有するＷｅｂブラウザーの要求に応じてＷｅｂページを提供するＷｅｂサーバーを有し、
前記端末装置は、前記Ｗｅｂブラウザーを有し、
前記端末装置が有する前記Ｗｅｂブラウザーは、前記表示装置の前記Ｗｅｂサーバーから提供されるＷｅｂページのデータに基づき、前記操作部で受け付けた操作に対応する操作信号を送信し、前記表示装置から送信される前記通知信号に基づき報知を行う、ことを特徴とする請求項１から６のいずれか一項に記載の表示システム。
【請求項８】
前記端末装置は、前記報知部として振動装置を備え、
前記通知受信部により前記通知信号を受信した場合に、前記振動装置により前記端末装置を振動させる、ことを特徴とする請求項１から７のいずれか一項に記載の表示システム。
【請求項９】
前記端末装置は、前記報知部としてスピーカーを備え、
前記通知受信部により前記通知信号を受信した場合に、報知音を前記スピーカーにより放音させる、ことを特徴とする請求項１から８のいずれか一項に記載の表示システム。
【請求項１０】
入力画面に対する操作を受け付ける操作部と、
報知を行う報知部と、
画像を表示する表示装置と通信を行う通信部と、
前記入力画面を長押しする長押し操作を前記操作部が受け付けた場合、前記長押し操作に対応した操作信号を前記通信部により前記表示装置に送信させて前記報知部に第１の報知を実行させ、
前記表示装置が表示する画像の表示態様を変更するパラメーターが変更可能範囲の上限又は下限に達したことを通知する通知信号を前記表示装置から受信した場合、前記報知部に前記第１の報知を停止させ、前記第１の報知とは異なる第２の報知を実行させる制御部と、
を備える、端末装置。
【請求項１１】
端末装置と表示装置とを備える表示システムの制御方法であって、
前記端末装置において、前記端末装置が備える操作部により操作を受け付けるステップと、
受け付けた前記操作に対応する操作信号を前記表示装置に送信するステップと、を有し、
前記表示装置において、前記操作信号に応じて、パラメーターを変更するステップと、
変更した前記パラメーターに基づき、前記表示装置が表示部により表示する画像の表示態様を調整するステップと、
変更された前記パラメーターが変更可能範囲の上限又は下限に達したことを判定するステップと、
前記判定するステップの判定結果に基づき、通知信号を前記端末装置に送信するステップと、を有し、
前記端末装置において、前記表示装置から前記通知信号を受信した場合に、前記端末装置の備える報知部により報知を行うステップを有することを特徴とする表示システムの制御方法。
【発明の詳細な説明】
【技術分野】
【０００１】
本発明は、表示システム、端末装置、及び、表示システムの制御方法に関する。
【背景技術】
【０００２】
従来、表示装置では、表示装置が表示する画像の表示態様を事前に調整する必要があり、この事前の調整を簡略化するための種々の技術が提案されている（例えば、特許文献１参照）。
特許文献１は、光学像をスクリーンに投射する投射レンズと、投射レンズを垂直方向及び水平方向にシフト移動させるレンズ駆動部と、投射レンズの中心位置が、所定範囲から外れないように投射レンズのシフト移動の範囲を制限するシフト制御部とを備える投射型表示装置を開示する。
【先行技術文献】
【特許文献】
【０００３】
【特許文献１】特開２０１０−６０８０６号公報
【発明の概要】
【発明が解決しようとする課題】
【０００４】
ところで、表示装置と端末装置とを備える表示システムにおいて、端末装置で受け付けた操作に対応して、表示装置の表示する画像の表示態様を調整する場合に、端末装置における操作性の向上が望まれている。
本発明は、上記事情に鑑みてなされたものであり、表示装置の表示する画像の表示態様を端末装置により調整する場合に、端末装置の操作性を向上させることを目的とする。
【課題を解決するための手段】
【０００５】
上記目的を達成するために本発明の表示システムは、端末装置と表示装置とを備える表示システムであって、前記端末装置は、操作を受け付ける操作部と、報知を行う報知部と、前記操作部で受け付けた操作に対応する操作信号を前記表示装置に送信する送信部と、前記表示装置から送信される通知信号を受信する通知受信部と、を備え、前記表示装置は、画像を表示する表示部と、前記端末装置から受信した前記操作信号に応じてパラメーターを変更する調整部と、変更した前記パラメーターに基づき前記表示部における画像の表示態様を調整する処理部と、前記調整部により変更された前記パラメーターが変更可能範囲の上限又は下限に達したことを判定する判定部と、前記判定部の判定結果に基づき前記通知信号を前記端末装置に送信する通知送信部と、を備え、前記端末装置は、前記通知受信部により前記通知信号を受信した場合に、前記報知部により報知を行うことを特徴とする。
本発明によれば、表示装置が表示する画像の表示態様を端末装置により調整する場合に、端末装置の操作性を向上させることができる。
【０００６】
また、本発明は、上記表示システムにおいて、前記表示装置は、光源と、画像データに基づき前記光源が発する光を変調する変調部と、前記変調部で変調された光を投射する光学部と、を備えるプロジェクターであり、前記処理部は、前記調整部により調整された前記パラメーターに基づき前記変調部又は前記光学部を制御することを特徴とする。
本発明によれば、端末装置の操作により変調部又は光学部を制御することができる。
【０００７】
また、本発明は、上記表示システムにおいて、前記光学部は、投射レンズを有し、前記パラメーターは、前記投射レンズのレンズ移動量に関するパラメーターであるレンズ移動量パラメーターを含み、前記処理部は、前記調整部により調整された前記レンズ移動量パラメーターに基づき、前記投射レンズのレンズ移動量を調整することを特徴とする。
本発明によれば、端末装置の操作により投射レンズのレンズ移動量を調整することができる。
【０００８】
また、本発明は、上記表示システムにおいて、前記光学部は、投射レンズを有し、前記パラメーターは、前記投射レンズのズーム量に関するパラメーターであるズーム量パラメーターを含み、前記処理部は、前記調整部により調整された前記ズーム量パラメーターに基づき、前記投射レンズのズーム量を調整することを特徴とする。
本発明によれば、端末装置の操作により、投射レンズのズーム量を調整することができる。
【０００９】
また、本発明は、上記表示システムにおいて、前記パラメーターは、前記画像データに対する画像処理に関するパラメーターである画像処理パラメーターを含み、前記処理部は、前記調整部により調整された前記画像処理パラメーターに基づき、前記画像データに対する画像処理を実行し、前記変調部は、前記処理部による画像処理が施された前記画像データに基づき前記光源が発する光を変調することを特徴とする。
本発明によれば、端末装置の操作により、画像の明るさや色合いを調整することができる。
【００１０】
また、本発明は、上記表示システムにおいて、前記画像処理パラメーターは、前記画像データに対する形状補正に関するパラメーターである形状補正パラメーターを含み、前記処理部は、前記調整部により調整された前記形状補正パラメーターに基づき、前記画像データに対する形状補正を実行し、前記表示部は、前記処理部による形状補正が施された前記画像データに基づく画像を表示することを特徴とする。
本発明によれば、端末装置の操作により、表示部により表示される画像の形状補正を行うことができる。
【００１１】
また、本発明は、上記表示システムにおいて、前記表示装置は、外部の装置が有するＷｅｂブラウザーの要求に応じてＷｅｂページを提供するＷｅｂサーバーを有し、前記端末装置は、前記Ｗｅｂブラウザーを有し、前記端末装置が有する前記Ｗｅｂブラウザーは、前記表示装置の前記Ｗｅｂサーバーから提供されるＷｅｂページのデータに基づき、前記操作部で受け付けた操作に対応する操作信号を送信し、前記表示装置から送信される前記通知信号に基づき報知を行うことを特徴とする。
本発明によれば、端末装置が有するＷｅｂブラウザーを操作して、表示装置が表示する画像の表示態様を調整することができる。
【００１２】
また、本発明は、上記表示システムにおいて、前記端末装置は、前記報知部として振動装置を備え、前記通知受信部により前記通知信号を受信した場合に、前記振動装置により前記端末装置を振動させることを特徴とする。
本発明によれば、表示装置が端末装置に通知信号を送信して、端末装置を振動させることができる。
【００１３】
また、本発明は、上記表示システムにおいて、前記端末装置は、前記報知部としてスピーカーを備え、前記通知受信部により前記通知信号を受信した場合に、報知音を前記スピーカーにより放音させることを特徴とする。
本発明によれば、表示装置が端末装置に通知信号を送信して、端末装置に報知音を放音させることができる。
【００１４】
本発明の端末装置は、操作を受け付ける操作部と、報知を行う報知部と、画像を表示する表示装置に、前記操作部で受け付けた操作に対応する操作信号を送信する送信部と、前記表示装置から送信される通知信号を受信する通知受信部と、を備え、前記通知受信部により前記通知信号を受信した場合に、前記報知部により報知を行うことを特徴とする。
本発明によれば、表示装置から通知信号を受信した場合に、報知部により報知を行うことができる。
【００１５】
本発明の表示システムの制御方法は、端末装置と表示装置とを備える表示システムの制御方法であって、前記端末装置において、前記端末装置が備える操作部により操作を受け付けるステップと、受け付けた前記操作に対応する操作信号を前記表示装置に送信するステップと、を有し、前記表示装置において、前記操作信号に応じて、パラメーターを変更するステップと、変更した前記パラメーターに基づき、前記表示装置が表示部により表示する画像の表示態様を調整するステップと、変更された前記パラメーターが変更可能範囲の上限又は下限に達したことを判定するステップと、前記判定するステップの判定結果に基づき、通知信号を前記端末装置に送信するステップと、を有し、前記端末装置において、前記表示装置から前記通知信号を受信した場合に、前記端末装置の備える報知部により報知を行うステップを有することを特徴とする。
本発明によれば、表示装置が表示する画像の表示態様を端末装置により調整する場合に、端末装置の操作性を向上させることができる。
【図面の簡単な説明】
【００１６】
【図１】表示システムの概略を示す図。
【図２】表示システムの構成図。
【図３】レンズシフトの説明図。
【図４】プロジェクター及び端末装置の動作を示すフローチャート。
【図５】プロジェクター及び端末装置の動作を示すフローチャート。
【図６】プロジェクター及び端末装置の動作を示すフローチャート。
【図７】レンズシフト調整用のＷｅｂページを示す図。
【発明を実施するための形態】
【００１７】
以下、図面を参照しながら本発明の実施形態について説明する。
図１は、表示システム１の概略を示す図である。表示システム１は、表示装置としてのプロジェクター１００と、端末装置３００とを備え、プロジェクター１００と端末装置３００とがインターネット等のネットワークＮを介してデータ通信可能に相互に接続される。
プロジェクター１００は、画像を表示面としてのスクリーンＳＣに投射する装置である。プロジェクター１００の設置状態は、スクリーンＳＣの前方に床置きした床置き設置としてもよいし、天井から吊り下げた天吊り設置としてもよい。なお、床置き設置の場合には、床に設置した台の上にプロジェクター１００を置く台置き設置としてもよい。また、画像の投射先は、スクリーンＳＣや、建物の壁面等の平らな投射面であってもよいし、建物や物体など、一様に平らではない物体であってもよい。本実施形態ではスクリーンＳＣに画像を投射する場合を例示する。
端末装置３００は、例えば、スマートフォン、携帯電話、タブレットＰＣ（Personal Computer)、ＰＤＡ(Personal Digital Assistant)等の、携帯して利用可能な通信機器である。本実施形態では、端末装置３００がスマートフォンである場合を例に挙げて説明する。端末装置３００は、プロジェクター１００と無線通信を行い、プロジェクター１００に対して、例えば、スクリーンＳＣに対する画像の投射位置の調整や、投射する画像の色や明るさの調整、形状補正等を行う。
【００１８】
プロジェクター１００は、例えば、無線ルーター（図示略）を介してネットワークＮに接続される。ネットワークＮは、例えば、公衆回線網や専用線等により構成される通信網であって、インターネット等のオープンなネットワークであってもよいし、特定の装置がアクセス可能なクローズドなネットワークであってもよい。無線ルーターは、プロジェクター１００と端末装置３００との間のデータ通信を中継する。
端末装置３００は、例えば、ネットワークＮに接続された基地局（図示略）に、移動体通信回線を介して接続される。基地局は、プロジェクター１００と端末装置３００との間のデータ通信を中継する。
【００１９】
図２は、表示システム１の構成図である。図２において、（Ａ）はプロジェクター１００の構成を示し、（Ｂ）は端末装置３００の構成を示す。
まず、プロジェクター１００の構成について説明する。プロジェクター１００には、画像供給装置２００が接続される。画像供給装置２００は、プロジェクター１００に画像信号を供給する装置である。プロジェクター１００は、画像供給装置２００から供給される画像信号、又は後述する記憶部１７０が事前に記憶した画像データに基づく画像をスクリーンＳＣに投射する。画像供給装置２００には、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が用いられる。
【００２０】
プロジェクター１００は、画像供給装置２００にケーブルを介して接続される画像入力部１５１を備える。画像入力部１５１は、ケーブルを接続するコネクター及びインターフェース回路（いずれも図示略）を備え、画像供給装置２００から供給される画像信号を入力する。
画像入力部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像入力部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像入力部１５１は、コネクターとして、アナログ映像信号が入力されるＶＧＡ端子や、デジタル映像データが入力されるＤＶＩ（Digital Visual Interface）端子を備える構成であってもよい。さらに、画像入力部１５１は、Ａ／Ｄ変換回路を備え、ＶＧＡ端子を介してアナログ映像信号が入力された場合、Ａ／Ｄ変換回路によりアナログ映像信号を画像データに変換し、画像処理部１５２に出力する。
【００２１】
プロジェクター１００は、光学的な画像の形成を行い、スクリーンＳＣに画像を投射（表示）する表示部１１０を備える。
表示部１１０は、光源としての光源部１１１、光変調装置１１２及び投射光学系１１３を備える。光源部１１１は、キセノンランプ、超高圧水銀ランプ、ＬＥＤ（Light Emitting Diode）又はレーザー光源等からなる光源を備える。また、光源部１１１は、光源が発した光を光変調装置１１２に導くリフレクター及び補助リフレクターを備えていてもよい。さらに、光源部１１１は、投射光の光学特性を高めるためのレンズ群、偏光板、又は光源が発した光の光量を光変調装置１１２に至る経路上で低減させる調光素子等（いずれも図示略）を備えていてもよい。
【００２２】
光源部１１１は、光源駆動部１２１により駆動される。光源駆動部１２１は、内部バス１８０に接続される。光源駆動部１２１は、制御部１６０の制御により光源部１１１の光源を点灯及び消灯させる。
【００２３】
変調部としての光変調装置１１２は、例えばＲＧＢの三原色に対応した３枚の液晶パネルを備える。光源部１１１が発する光はＲＧＢの３色の色光に分離され、対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２４】
光変調装置１１２には、光変調装置１１２の液晶パネルを駆動する光変調装置駆動部１２２が接続される。光変調装置駆動部１２２は、内部バス１８０に接続される。
光変調装置駆動部１２２は、画像処理部１５２から入力される表示画像データ（後述する）に基づいてＲ，Ｇ，Ｂの画像信号をそれぞれに生成する。光変調装置駆動部１２２は、生成したＲ，Ｇ，Ｂの画像信号のそれぞれに基づいて、光変調装置１１２の対応する液晶パネルを駆動し、各液晶パネルに画像を描画する。
【００２５】
光学部としての投射光学系１１３は、光変調装置１１２により変調された画像光をスクリーンＳＣ方向に投射して、スクリーンＳＣ上に結像させる投射レンズ１１４を備える。投射レンズ１１４は、画角の調整、すなわち投射される画像の大きさを調整（ズーム調整）する機能を有するズームレンズである。また投射レンズ１１４は、焦点位置を調整（フォーカス調整）する機能も有する。
【００２６】
投射光学系１１３には、投射光学系駆動部１２３が接続される。投射光学系駆動部１２３は、内部バス１８０に接続される。
投射光学系駆動部１２３は、ステッピングモーター等のモーターやギア（いずれも図示略）を備え、投射レンズ１１４を駆動して、ズーム調整やフォーカス調整を行う。
また、投射光学系駆動部１２３は、投射レンズ１１４の光軸に直交する面内で投射レンズ１１４を移動させ、スクリーンＳＣに投射される画像を上下左右方向に移動させるレンズシフト調整を行う。
図３は、レンズシフトの説明図である。投射光学系駆動部１２３が、投射レンズ１１４を駆動することにより、スクリーンＳＣに投射される投射画像が上下左右方向に移動される。レンズシフト調整により投射画像を移動させることができる範囲を、レンズシフト可能エリアという。
【００２７】
プロジェクター１００は、操作パネル１３１及び入力処理部１３３を備える。
ユーザーインターフェースとして機能する操作パネル１３１には、各種の操作キーや、液晶パネルにて構成された表示画面が設けられる。
入力処理部１３３は、操作パネル１３１の操作キーが操作されると、操作されたキーに対応した信号を制御部１６０に出力する。また、入力処理部１３３は、制御部１６０から入力される制御信号に基づいて、操作パネル１３１に各種画面を表示させる。
また、操作パネル１３１には、操作パネル１３１への接触を検出するタッチセンサーが重ね合わされて一体形成される。入力処理部１３３は、ユーザーの指等が接触した操作パネル１３１の位置を入力位置として検出し、検出した入力位置に対応した信号を制御部１６０に出力する。
【００２８】
また、プロジェクター１００は、ユーザーが使用するリモコン５を有する。リモコン５は各種のボタンを備えており、これらのボタンの操作に対応して赤外線信号を送信する。プロジェクター１００の本体には、リモコン５が発する赤外線信号を受光するリモコン受光部１３２が配置されている。リモコン受光部１３２は、リモコン５から送信される赤外線信号を受光する。入力処理部１３３は、リモコン受光部１３２が受光した赤外線信号をデコードして、リモコン５における操作内容を示す信号を生成し、制御部１６０に出力する。
【００２９】
プロジェクター１００は、無線通信部１３７を備える。無線通信部１３７は、アンテナやＲＦ（Radio Frequency）回路（いずれも図示略）等を備え、無線ＬＡＮ（Local Area Network）により無線ルーターとの通信を行う。プロジェクター１００から送信されるデータは、無線ＬＡＮ、ネットワークＮ及び移動体通信回線を介して端末装置３００に送信される。無線通信部１３７の無線通信方式は、無線ＬＡＮ（Local Area Network）に限られず、Ｂｌｕｅｔｏｏｔｈ（登録商標）、ＵＷＢ、赤外線通信等の近距離無線通信方式、又は移動体通信回線を利用した無線通信方式を採用できる。
【００３０】
プロジェクター１００は、画像処理系を備える。画像処理系は、プロジェクター１００の全体を統括的に制御する制御部１６０を中心に構成され、この他に、画像処理部１５２、フレームメモリー１５３及び記憶部１７０を備える。制御部１６０、画像処理部１５２及び記憶部１７０は、内部バス１８０に互いにデータ通信可能に接続される。
【００３１】
処理部としての画像処理部１５２は、制御部１６０の制御に従って、画像入力部１５１から入力される画像データをフレームメモリー１５３に展開する。画像処理部１５２は、フレームメモリー１５３に展開された画像データに対して、例えば、解像度変換（スケーリング）処理又はリサイズ処理、歪曲収差の補正、形状補正処理、デジタルズーム処理、色合い調整処理、明るさ調整処理等の処理を行う。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
画像処理部１５２は、処理後の画像データをフレームメモリー１５３から読み出し、表示画像データとして光変調装置駆動部１２２に出力する。
【００３２】
制御部１６０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを格納する。ＲＡＭは、ＣＰＵのワークエリアを構成する。ＣＰＵは、ＲＯＭや記憶部１７０から読み出した制御プログラムをＲＡＭに展開し、展開した制御プログラムを実行してプロジェクター１００の各部を制御する。
【００３３】
また、制御部１６０は、機能ブロックとして、投射制御部１６１と、Ｗｅｂサーバー実行部１６２とを備える。Ｗｅｂサーバー実行部１６２は、記憶部１７０が記憶するＷｅｂサーバーを実行することで実現される機能部であり、調整部１６３、判定部１６４、認証部１６５、セッション管理部１６６を備える。これらの機能ブロックは、ＲＯＭや記憶部１７０が記憶する制御プログラムをＣＰＵが実行することで実現される。
【００３４】
投射制御部１６１は、調整部１６３により通知される後述のレンズ移動量パラメーターの値に基づき投射光学系駆動部１２３を制御して、表示部１１０における画像の表示態様を調整し、スクリーンＳＣへの画像の投射を実行する。
具体的には、投射制御部１６１は、画像処理部１５２を制御して、画像入力部１５１より入力された画像データに対する画像処理を実施させる。この際、投射制御部１６１は、画像処理部１５２が処理に必要なパラメーターを記憶部１７０から読み出して、画像処理部１５２に出力してもよい。また、投射制御部１６１は、光源駆動部１２１を制御して光源部１１１の光源を点灯させ、光源の輝度を調整させる。これにより、光源が発光し、光変調装置１１２が変調する画像光が投射光学系１１３によりスクリーンＳＣに投射される。また、投射制御部１６１は、調整部１６３から入力されるレンズ移動量パラメーターに基づいて、投射光学系駆動部１２３を制御する。
【００３５】
Ｗｅｂサーバー実行部１６２は、記憶部１７０に記憶されたＷｅｂサーバーを実行して、Ｗｅｂブラウザー等のクライアントソフトウェアからの要求に応じ、ネットワークＮを通じてＷｅｂページを構成するＨＴＭＬデータ等のデータのやりとりを行う。また、Ｗｅｂサーバー実行部１６２は、判定部１６４の判定結果に基づき応答コマンド（通知信号）を端末装置３００に送信する通知送信部として機能する。
【００３６】
調整部１６３は、無線通信部１３７が端末装置３００から受信したコマンド（操作信号）に応じて、レンズ移動量パラメーターの値を変更する。レンズ移動量パラメーターは、レンズシフト調整において、変更された投射レンズ１１４のレンズ位置を判断するためのパラメーターである。レンズ移動量パラメーターは、レンズシフト調整が行われた後の投射レンズ１１４のレンズ位置を示す。本実施形態では、レンズ移動量パラメーターは、投射レンズ１１４が所定の基準位置から投射方向に直交する方向へ移動した後の移動方向及び移動量を示す。レンズ移動量パラメーターは、投射レンズ１１４の光軸に直交する面内において、投射レンズ１１４の垂直方向の移動量を判定する垂直方向パラメーターと、投射レンズ１１４の水平方向の移動量を判定する水平方向パラメーターとを備える。
投射制御部１６１は、調整部１６３により変更されたレンズ移動量パラメーターの値に基づいて、投射レンズ１１４の駆動方向、及び投射レンズ１１４のレンズ移動量を算出する。投射制御部１６１は、算出した駆動方向及びレンズ移動量に基づいて、投射光学系駆動部１２３を制御する制御信号を生成し、投射光学系駆動部１２３に出力する。
また、調整部１６３は、端末装置３００から受信したコマンド（操作信号）に応じて、投射レンズ１１４のズーム量に関するパラメーターであるズーム量パラメーターや、フォーカス量に関するパラメーターであるフォーカス量パラメーターを変更する。投射制御部１６１は、調整部１６３から入力されるパラメーターの値に基づいて、投射光学系駆動部１２３を制御する制御信号を生成し、投射光学系駆動部１２３に出力する。
さらに、調整部１６３は、画像処理部１５２が画像データに対して画像処理を行う際に使用されるパラメーターの値を、無線通信部１３７が端末装置３００から受信したコマンド（操作信号）に応じて変更する。パラメーターには、画像の明るさや色合いの調整に用いられる画像処理パラメーターが含まれる。この画像処理パラメーターには、歪曲収差や形状の補正に用いられる形状補正パラメーターが含まれる。
【００３７】
判定部１６４は、調整部１６３により値を変更される２つのレンズ移動量パラメーター（垂直方向パラメーター及び水平方向パラメーター）のいずれか一方が、変更可能な範囲の上限値又は下限値に達したか否かを判定する。判定部１６４は、垂直方向パラメーター及び水平方向パラメーターのいずれか一方の値が上限値又は下限値に達した場合に、レンズ移動量パラメーターが上限値又は下限値に達したことをＷｅｂサーバー実行部１６２に通知する。
また、判定部１６４は、調整部１６３により変更されたズーム量パラメーターやフォーカス量パラメーターの値が変更可能な範囲の上限値又は下限値に達したか否かを判定する。
さらに、判定部１６４は、明るさや色合いの調整、又は歪曲収差や形状の補正に用いる画像処理パラメーターが変更可能な範囲の上限値又は下限値に達したか否かを判定する。
【００３８】
認証部１６５は、ログイン要求してきたユーザーを認証する。セッション管理部１６６は、認証部１６５にて認証に成功したユーザーのセッション情報を管理する。
【００３９】
記憶部１７０は、不揮発性の記憶装置であり、例えば、フラッシュメモリー、ＥＰＲＯＭ（Erasable Programmable ROM）、ＥＥＰＲＯＭ（Electrically EPROM）、ＨＤＤ（Hard Disc Drive）などの記憶装置により実現される。記憶部１７０は、ワールドワイドＷｅｂ（ＷＷＷ）において、データ送受信の機能を持った制御プログラムであるＷｅｂサーバーや、表示部１１０によりスクリーンＳＣに投射される画像データを記憶する。また、記憶部１７０は、登録されたユーザーを認証する認証情報として、ユーザーのユーザーＩＤやパスワードを記憶する。さらに記憶部１７０は、プロジェクター１００に設定されたＩＰアドレスを記憶する。
【００４０】
次に、端末装置３００の構成について図２を参照しながら説明する。
端末装置３００は、移動体通信部３０１、表示部３０２、操作入力部３０４、記憶部３０５、振動装置３０６、音声処理部３０７、スピーカー３０８、マイク３０９及び制御部３１０を備える。
【００４１】
送信部及び通知受信部として機能する移動体通信部３０１は、ＬＴＥ（Long Term Evolution）回線、３Ｇ回線等の移動体通信回線に接続し、基地局との間で無線通信を行う。移動体通信回線は、電話だけでなく、データ通信も可能な回線である。端末装置３００から送信されたデータは、移動体通信回線、ネットワークＮ及び無線ＬＡＮを介してプロジェクター１００に送られる。
【００４２】
表示部３０２は、液晶ディスプレイ等の表示パネル３０３を備える。表示部３０２は、制御部３１０の制御に従い、表示パネル３０３に画像を表示させる。表示パネル３０３は、液晶ディスプレイに限られず、有機ＥＬ（electro-luminescence）ディスプレイであってもよい。
【００４３】
操作を受け付ける操作部としての操作入力部３０４は、指示体（図示略）としての指やタッチペンの表示パネル３０３への接触を検出するタッチセンサーを備える。タッチセンサーの方式は、静電容量式や、超音波式、感圧式、抵抗膜式、光検知式等のいずれの方式であってもよく、表示パネル３０３と一体的に構成される。操作入力部３０４は、指示体が接触した表示パネル３０３の位置を入力位置として検出し、検出した入力位置に対応した信号を制御部３１０に出力する。
また、操作入力部３０４は、表示部３０２の周囲に配置された押しボタンキーを備え、押しボタンキーの操作を受け付けて、押しボタンキーに設定された操作を示す信号を制御部３１０に出力する。
【００４４】
記憶部３０５は、制御部３１０のＣＰＵが実行するＯＳ（Operating System）や、汎用のＷｅｂブラウザー等のアプケーションプログラムを記憶する。また、記憶部３０５は、制御部３１０が処理するデータを不揮発的に記憶する。
【００４５】
報知を行う報知部としての振動装置３０６は、バイブレーターを備え、端末装置３００の筐体を振動させる。振動装置３０６の振動パターンや振動強度は、制御部３１０の制御により変更することができる。
【００４６】
音声処理部３０７は、音声通話を行う場合に、通話相手の音声信号が移動体通信部３０１から供給されると、供給された音声信号をアナログ信号に変換する。変換された音声信号は、スピーカー３０８に供給され、スピーカー３０８からは、通話相手の音声が放音される。また、音声処理部３０７は、マイク３０９が音声を収音すると、収音した音声をデジタル信号に変換する。音声処理部３０７は、音声通話を行う場合、ユーザーの音声をデジタルに変換した音声信号を移動体通信部３０１へ供給する。この音声信号は、移動体通信部３０１から移動体通信回線に出力され、通話相手の端末装置３００に送信される。
【００４７】
送信部及び通知受信部として機能する制御部３１０は、ハードウェアとしてＣＰＵや、ＲＯＭ、ＲＡＭを備える。制御部３１０は、ＲＯＭや記憶部３０５に記憶された制御プログラムをＲＡＭに展開し、展開した制御プログラムをＣＰＵにより実行することで端末装置３００の各部を制御する。制御部３１０は、記憶部３０５の記憶するＷｅｂブラウザーを実行して、サーバーとして機能するプロジェクター１００との間で、Ｗｅｂページを構成するＨＴＭＬデータ等のデータのやりとりを行う。
【００４８】
図４〜図６は、プロジェクター１００及び端末装置３００の動作を示すフローチャートである。
端末装置３００のユーザーは、押しボタンキーの操作又は表示パネル３０３に対するタッチ操作によりＷｅｂブラウザーを起動させる操作を行う。端末装置３００の制御部３１０は、Ｗｅｂブラウザーを起動させる操作を受け付けると（ステップＳ１／ＹＥＳ）、Ｗｅｂブラウザーを起動し実行する（ステップＳ２）。端末装置３００の制御部３１０は、Ｗｅｂブラウザーを起動させる操作を受け付けていない場合（ステップＳ１／ＮＯ）、操作を受け付けるまで待機する。
【００４９】
次に、ユーザーは、表示パネル３０３に表示されたＷｅｂブラウザーの表示画面において、プロジェクター１００のＩＰアドレスを指定する。プロジェクター１００の制御部１６０は、ＩＰアドレスの表示要求を操作パネル１３１又はリモコン５から受け付けた場合、プロジェクター１００に設定されたＩＰアドレスを、例えば、操作パネル１３１に表示させてもよい。また、制御部１６０は、プロジェクター１００のＩＰアドレスやＩＰアドレスに応じたＵＲＬを、プロジェクター１００への接続情報として有するＱＲコード（登録商標）等の２次元コードをスクリーンＳＣに表示させてもよい。ユーザーは、端末装置３００の備えるカメラにより２次元コードを読み取らせて、端末装置３００をプロジェクター１００に接続させ、プロジェクター１００からＷｅｂページのデータを取得してもよい。
【００５０】
端末装置３００の制御部３１０は、Ｗｅｂブラウザーにより表示される表示画面のアドレスバーに、ＩＰアドレスが入力されたか否かを判定する（ステップＳ３）。ＩＰアドレスの入力がない場合（ステップＳ３／ＮＯ）、制御部３１０は、ＩＰアドレスが入力されるまで待機する。また、制御部３１０は、ＩＰアドレスを受け付けると（ステップＳ３／ＹＥＳ）、受け付けたＩＰアドレスにより特定されるプロジェクター１００（Ｗｅｂサーバー）に、Ｗｅｂページのデータの取得要求を送信する（ステップＳ４）。
【００５１】
プロジェクター１００のＷｅｂサーバー実行部１６２は、ネットワークＮを介してＷｅｂページのデータの取得要求を受信すると（ステップＴ１／ＹＥＳ）、ＩＤ及びパスワードを入力可能なＷｅｂページのデータを端末装置３００に送信する（ステップＴ２）。Ｗｅｂサーバー実行部１６２は、Ｗｅｂページのデータの取得要求を受信していない場合（ステップＴ１／ＮＯ）、データの取得要求を受信するまで待機する。
【００５２】
端末装置３００の制御部３１０は、プロジェクター１００からＷｅｂページのデータを受信すると、受信したＷｅｂページを表示パネル３０３に表示させる（ステップＳ５）。表示パネル３０３に表示されるＷｅｂページには、ＩＤ及びパスワードの入力欄が表示される。制御部３１０は、押しボタンキーの操作やタッチ操作により、例えば、文字や数字を入力可能なキーボードが表示された文字入力画面の表示要求を受け付けると、文字入力画面を表示パネル３０３に表示させる。制御部３１０は、文字入力画面に対するタッチ操作により、ＩＤ及びパスワードが入力されたか否かを判定し（ステップＳ６）、入力がない場合には（ステップＳ６／ＮＯ）、入力があるまで待機する。また、制御部３１０は、ＩＤ及びパスワードを受け付けると（ステップＳ６／ＹＥＳ）、受け付けたＩＤ及びパスワードをプロジェクター１００に送信する（ステップＳ７）。
【００５３】
プロジェクター１００のＷｅｂサーバー実行部１６２は、ＩＤ及びパスワードを受信したか否かを判定する（ステップＴ３）。ＩＤ及びパスワードを受信していない場合（ステップＴ３／ＮＯ）、Ｗｅｂサーバー実行部１６２は、ＩＤ及びパスワードを受信するまで待機する。また、Ｗｅｂサーバー実行部１６２は、ＩＤ及びパスワードを受信すると（ステップＴ３／ＹＥＳ）、受信したＩＤ及びパスワードが、記憶部１７０が記憶するＩＤ及びパスワードと一致するか否かを判定して、ユーザー認証を行う（ステップＴ４）。受信したＩＤ及びパスワードと、記憶部１７０が記憶するＩＤ及びパスワードとが一致しない場合、Ｗｅｂサーバー実行部１６２は、ユーザー認証失敗と判定する（ステップＴ５／ＮＯ）。この場合、Ｗｅｂサーバー実行部１６２は、ログインエラーを表示させるデータを端末装置３００に送信して、端末装置３００に表示させ（ステップＴ７）、ユーザーに再度ＩＤ及びパスワードを入力させる。端末装置３００の制御部３１０は、プロジェクター１００からログインエラーのデータを受信した場合、認証に失敗したと判定し（ステップＳ８／ＮＯ）、表示パネル３０３にログインエラーを表示させる（ステップＳ９）。この後、プロジェクター１００のＷｅｂサーバー実行部１６２は、端末装置３００から新たなＩＤ及びパスワードが送信されるまで待機し（ステップＴ３）、新たなＩＤ及びパスワードを受信すると、ユーザー認証を再度行う。Ｗｅｂサーバー実行部１６２は、ユーザー認証に失敗した場合（ステップＴ５／ＮＯ）、ログインエラーを表示させるデータを端末装置３００に送信して、端末装置３００に表示させる（ステップＴ７）。この場合に、Ｗｅｂサーバー実行部１６２は、事前に設定された回数、ユーザー認証に失敗している場合、ユーザー認証を中止して該当のユーザーが一定期間ログインできないように処理してもよい。
【００５４】
また、Ｗｅｂサーバー実行部１６２は、受信したＩＤ及びパスワードと、記憶部１７０が記憶するＩＤ及びパスワードとが一致した場合、ユーザー認証に成功したと判定する（ステップＴ５／ＹＥＳ）。この場合、Ｗｅｂサーバー実行部１６２は、ユーザー認証に成功した旨を通知し、端末装置３００により操作可能なプロジェクター１００の調整項目が表示されたＷｅｂページのデータを端末装置３００に送信する。端末装置３００の制御部３１０は、受信したＷｅｂページを表示パネル３０３に表示させる。Ｗｅｂページに表示される調整項目には、例えば、ズーム調整、フォーカス調整、レンズシフト調整、形状補正、歪曲収差の補正、投射画像の明るさや色合いを調整する画質調整等が含まれる。
ユーザーは、押しボタンキーの操作又は表示パネル３０３に対するタッチ操作により、Ｗｅｂページに表示された複数の調整項目の中から、調整を行いたい項目を１つ選択する。以下では、レンズシフト調整が選択された場合について説明する。
【００５５】
プロジェクター１００のＷｅｂサーバー実行部１６２は、レンズシフト調整が選択されると、レンズシフト調整用のＷｅｂページのデータを端末装置３００に送信する（ステップＴ６）。端末装置３００の制御部３１０は、ユーザー認証に成功した旨の通知を受信し、認証に成功したと判定すると（ステップＳ８／ＹＥＳ）、その後、プロジェクター１００から送信されるレンズシフト調整用のＷｅｂページを表示パネル３０３に表示させる（ステップＳ１０）。
【００５６】
図７は、表示パネル３０３に表示されたレンズシフト調整用のＷｅｂページの一例を示す図である。
レンズシフト調整用のＷｅｂページは、ユーザーが端末装置３００を操作して、投射レンズ１１４のレンズ移動量を調整することが可能なページであり、ユーザーの操作を受け付ける複数のオブジェクト画像が表示される。オブジェクト画像は、指示体によるタッチ操作により選択可能な画像であって、各オブジェクト画像には、プロジェクター１００に対する指示が対応付けられている。図７に示すレンズシフト調整用のＷｅｂページには、上下左右の各方向を示す矢印のオブジェクト画像と、拡大、縮小を表すプラスとマイナスのオブジェクト画像とが表示される。
端末装置３００の制御部３１０は、プロジェクター１００から送信されるレンズシフト調整用のＷｅｂページを表示パネル３０３に表示させ、ユーザーからの入力を受け付けたか否かを判定する（ステップＳ１１）。ユーザーからの入力を受け付けていない場合（ステップＳ１１／ＮＯ）、制御部３１０は、入力を受け付けるまで待機する。
【００５７】
端末装置３００の制御部３１０は、タッチ操作による入力を受け付けると（ステップＳ１１／ＹＥＳ）、受け付けた入力は、レンズシフト調整用のＷｅｂページに表示されたオブジェクト画像を選択する入力であるか否かを判定する（ステップＳ１２）。制御部３１０は、受け付けた入力が、レンズシフト調整用のＷｅｂページに表示されたオブジェクト画像を選択する入力ではないと判定すると（ステップＳ１２／ＮＯ）、ステップＳ２５の判定に移行する。
また、オブジェクト画像を選択する入力であると判定すると（ステップＳ１２／ＹＥＳ）、制御部３１０は、選択されたオブジェクト画像に対応付けられた指示を選択する（ステップＳ１３）。レンズシフト調整用のＷｅｂページに表示されるオブジェクト画像と、各オブジェクト画像に対応付けられた指示とは、Ｗｅｂブラウザーに設定されている。例えば「上」方向の矢印がユーザーによるタッチ操作で選択された場合、端末装置３００の制御部３１０は、プロジェクター１００に、投射レンズ１１４のレンズ位置を上方向に変更する指示を選択する。
【００５８】
次に、制御部３１０は、ステップＳ１２で選択されたオブジェクト画像が長押しされているか否かを判定する（ステップＳ１４）。制御部３１０は、操作入力部３０４から信号が繰り返し入力され、当該信号が示す位置が、表示パネル３０３の同一位置であるか否かを判定して、オブジェクト画像が長押しされているか否かを判定する。
オブジェクト画像が長押しされていると判定すると（ステップＳ１４／ＹＥＳ）、制御部３１０は、レンズシフトを指示する第１指示コマンド（操作信号）を生成し、生成した第１指示コマンドをプロジェクター１００に送信する（ステップＳ１５）。この第１指示コマンドには、プロジェクター１００に、投射レンズ１１４のレンズ位置の変更を指示する指令と、停止が指示されるまで、レンズ位置の変更を継続させる指令と、ステップＳ１３で選択した投射レンズ１１４の変更方向を示す情報とが含まれる。
第１指示コマンドをプロジェクター１００に送信すると、制御部３１０は、第１の報知を実行する（ステップＳ１６）。本実施形態では、第１の報知として、音声処理部３０７に、鳴音パターンや音階、リズム音等の報知音をスピーカー３０８から出力させ、ユーザーの聴覚に対して報知を行う。この第１の報知は、ユーザーが、ステップＳ１２で選択されたオブジェクト画像を長押ししている間であって、後述する第２の報知が開始されるまで継続される。
【００５９】
プロジェクター１００のＷｅｂサーバー実行部１６２は、第１指示コマンドを受信したか否かを判定する（ステップＴ８）。第１指示コマンドを受信していない場合（ステップＴ８／ＮＯ）、Ｗｅｂサーバー実行部１６２は、ステップＴ１５の処理に移行する。また、Ｗｅｂサーバー実行部１６２は、第１指示コマンドを受信すると（ステップＴ８／ＹＥＳ）、投射レンズ１１４のレンズ移動量に関するパラメーターであるレンズ移動量パラメーターの値を変更する（ステップＴ９）。Ｗｅｂサーバー実行部１６２は、端末装置３００から指示された投射レンズ１１４の変更方向に対応したレンズ移動量パラメーターの値を１ステップ変更する。
【００６０】
次に、Ｗｅｂサーバー実行部１６２は、変更後のレンズ移動量パラメーターの値が、事前に設定された範囲の上限値又は下限値と一致したか否かを判定する（ステップＴ１０）。
レンズ移動量パラメーターの値が、上限値又は下限値と一致していない場合（ステップＴ１０／ＮＯ）、Ｗｅｂサーバー実行部１６２は、投射制御部１６１に投射光学系駆動部１２３を制御させ、投射レンズ１１４のレンズ位置を変更させる（ステップＴ１１）。投射レンズ１１４のレンズ移動量は、レンズ移動量パラメーターの１ステップに対応する距離である。そして、Ｗｅｂサーバー実行部１６２は、端末装置３００からレンズ位置の変更を停止させる停止コマンドを受信したか否かを判定する（ステップＴ１３）。停止コマンドを受信していない場合（ステップＴ１３／ＮＯ）、Ｗｅｂサーバー実行部１６２は、ステップＴ９の処理に戻り、レンズ移動量パラメーターの値を１ステップ変更する。そして、制御部１６０は、上述したステップＴ９〜Ｔ１３の処理を、停止コマンドを受信するまで、又はステップＴ１０の判定で、レンズ移動量パラメーターの値が、事前に設定された範囲の上限値又は下限値と一致するまで繰り返す。
【００６１】
また、ステップＴ１０の判定おいて、レンズ移動量パラメーターの値が、上限値又は下限値と一致した場合（ステップＴ１０／ＹＥＳ）、Ｗｅｂサーバー実行部１６２は、投射レンズ１１４のレンズ位置が、変更可能な範囲の上限又は下限に達したと判定する。この場合、Ｗｅｂサーバー実行部１６２は、第１指示コマンドに対するコマンドとして、投射レンズ１１４のレンズ位置が上限又は下限に達したことを通知する応答コマンドを端末装置３００に送信する（ステップＴ１２）。
【００６２】
第１の報知として、鳴音パターンや音階、リズム等がスピーカー３０８から出力された状態で、端末装置３００の制御部３１０は、長押し操作が終了したか否かを判定する（ステップＳ１７）。制御部３１０は、操作入力部３０４からの信号の入力が停止したか否かを判定して、長押し操作の終了を判定する（ステップＳ１７）。長押し操作が終了していないと判定した場合（ステップＳ１７／ＮＯ）、制御部３１０は、応答コマンドを受信したか否かを判定する（ステップＳ１８）。応答コマンドを受信していない場合（ステップＳ１８／ＮＯ）、制御部３１０は、ステップＳ１７の判定に戻り、長押し操作が終了したか否かをさらに判定する。また、プロジェクター１００から応答コマンドを受信した場合（ステップＳ１８／ＹＥＳ）、制御部３１０は、第１の報知を停止させて第２の報知を実行する（ステップＳ１９）。第２の報知を実行することで、投射レンズ１１４のレンズ位置の変更が限度（上限又は下限）に達したことがーザーに通知される。実施形態では、第２の報知として振動装置３０６により端末装置３００を振動させ、ユーザーの触覚に対して報知を行う。制御部３１０は、第２の報知を事前に設定された時間行い、ステップＳ１１の判定に戻り、ユーザーからの入力があるか否かを判定する。
【００６３】
また、制御部３１０は、ステップＳ１７の判定において、長押し操作が終了したと判定した場合（ステップＳ１７／ＹＥＳ）、プロジェクター１００に、レンズ位置の変更を停止させる停止コマンドを送信する（ステップＳ２０）。そして、制御部３１０は、第１の報知を停止させ（ステップＳ２１）、ステップＳ１１の判定に戻り、ユーザーからの入力があるか否かを判定する。
【００６４】
プロジェクター１００のＷｅｂサーバー実行部１６２は、ステップＴ１３において、端末装置３００から停止コマンドを受信した場合（ステップＴ１３／ＹＥＳ）、投射制御部１６１に、投射レンズ１１４のレンズ位置の変更を停止させる（ステップＴ１４）。そして、Ｗｅｂサーバー実行部１６２は、ステップＴ８の判定に戻り第１指示コマンドを受信したか否かを判定する。
【００６５】
また、ステップＳ１４の判定において、長押し操作ではないと判定された場合（ステップＳ１４／ＮＯ）、Ｗｅｂサーバー実行部１６２は、プロジェクター１００に、第２指示コマンド（操作信号）を送信する（ステップＳ２２）。第２指示コマンドには、プロジェクター１００に、投射レンズ１１４のレンズ位置の変更を指示する指令と、ステップＳ１３で選択した投射レンズ１１４の変更方向を示す情報とが含まれる。
【００６６】
Ｗｅｂサーバー実行部１６２は、ステップＴ８の判定が否定判定の場合（ステップＴ８／ＮＯ）、ステップＴ１５の判定に移行する。Ｗｅｂサーバー実行部１６２は、ステップＴ１５の判定では、端末装置３００から第２指示コマンドを受信したか否かを判定する（ステップＴ１５）。端末装置３００から第２指示コマンドを受信していない場合（ステップＴ１５／ＮＯ）、Ｗｅｂサーバー実行部１６２は、ステップＴ２０の判定に移行する。また、Ｗｅｂサーバー実行部１６２は、端末装置３００から第２指示コマンドを受信すると（ステップＴ１５／ＹＥＳ）、レンズ移動量パラメーターの値を変更する（ステップＴ１６）。Ｗｅｂサーバー実行部１６２は、端末装置３００から指示された投射レンズ１１４の変更方向に対応したレンズ移動量パラメーターの値を１ステップ変更する。次に、Ｗｅｂサーバー実行部１６２は、変更後のレンズ移動量パラメーターの値が、事前に設定された範囲の上限値又は下限値と一致したか否かを判定する（ステップＴ１７）。
【００６７】
レンズ移動量パラメーターの値が、上限値又は下限値と一致していない場合（ステップＴ１７／ＮＯ）、Ｗｅｂサーバー実行部１６２は、投射制御部１６１に投射光学系駆動部１２３を制御させ、投射レンズ１１４のレンズ位置を変更させる（ステップＴ１９）。投射レンズ１１４のレンズ移動量は、レンズ移動量パラメーターの１ステップに対応する距離である。そして、Ｗｅｂサーバー実行部１６２は、ステップＴ８の判定に戻る。また、レンズ移動量パラメーターの値が、上限値又は下限値と一致した場合（ステップＴ１７／ＹＥＳ）、Ｗｅｂサーバー実行部１６２は、第２指示コマンドに対する応答コマンドを生成する。Ｗｅｂサーバー実行部１６２は、投射レンズ１１４のレンズ位置が上限又は下限に達したことを通知する応答コマンドを生成し、端末装置３００に送信する（ステップＴ１８）。そして、Ｗｅｂサーバー実行部１６２は、ステップＴ８の判定に戻る。
端末装置３００の制御部３１０は、プロジェクター１００に、第２指示コマンドを送信すると（ステップＳ２２）、プロジェクター１００から応答コマンドを受信したか否かを判定する（ステップＳ２３）。制御部３１０は、応答コマンドを受信していない場合（ステップＳ２３／ＮＯ）、ステップＳ１１の判定に戻る。また、プロジェクター１００から応答コマンドを受信した場合（ステップＳ２３／ＹＥＳ）、制御部３１０は、上述した第２の報知を実行する（ステップＳ２４）。
【００６８】
また、端末装置３００の制御部３１０は、ステップＳ１２の判定においてオブジェクト画像を選択する入力ではないと判定した場合（ステップＳ１２／ＮＯ）、受け付けた入力がログアウトの操作であるか否かを判定する（ステップＳ２５）。受け付けた操作がログアウトの操作であると判定すると（ステップＳ２５／ＹＥＳ）、制御部３１０は、プロジェクター１００にログアウト要求を送信する（ステップＳ２６）。また、ログアウト要求ではないと判定した場合（ステップＳ２５／ＮＯ）、制御部３１０は、受け付けた操作に対応した処理を実行する（ステップＳ２７）。
Ｗｅｂサーバー実行部１６２は、ステップＴ２０において、ログアウト要求を受信したか否かを判定する（ステップＴ２０）。ログアウト要求を受信していない場合（ステップＴ２０／ＮＯ）、Ｗｅｂサーバー実行部１６２は、ステップＴ８の判定に移行する。また、ログアウト要求を受信した場合（ステップＴ２０／ＹＥＳ）、Ｗｅｂサーバー実行部１６２は、該当するユーザーのログインを解除して（ステップＴ２１）、このフローを終了させる。
【００６９】
以上詳細に説明したように本実施形態の表示システム１は、端末装置３００とプロジェクター１００とを備える。
端末装置３００は、操作を受け付ける操作入力部３０４と、報知を行う報知部としての振動装置３０６、音声処理部３０７及びスピーカー３０８と、受け付けた操作に対応するコマンドをプロジェクター１００に送信し、プロジェクター１００から通知される応答コマンドを受信する移動体通信部３０１及び制御部３１０とを備える。
プロジェクター１００は、画像を表示する表示部１１０と、端末装置３００から受信したコマンドに応じてパラメーターを変更する調整部１６３と、変更したパラメーターに基づき投射光学系駆動部１２３を制御して、表示部１１０における画像の表示態様を調整する投射制御部１６１と、調整部１６３により変更されたパラメーターが変更可能範囲の上限又は下限に達したことを判定する判定部１６４と、判定部１６４の判定結果に基づき通知信号を端末装置３００に送信するＷｅｂサーバー実行部１６２及び無線通信部１３７とを備える。
端末装置３００は、移動体通信部３０１により通知信号を受信した場合に、報知部としての振動装置３０６や、音声処理部３０７及びスピーカー３０８により報知を行う。従って、プロジェクター１００が表示する画像の表示態様を端末装置３００により調整する場合に、端末装置３００の操作性を向上させることができる。
【００７０】
また、プロジェクター１００は、光源部１１１と、画像データに基づき光源部１１１が発する光を変調する光変調装置１１２と、光変調装置１１２で変調された光を投射する投射光学系１１３とを備える。また、投射光学系１１３は、調整部１６３により調整されたパラメーターに基づき光変調装置１１２又は投射光学系１１３を制御する。従って、端末装置３００の操作により、光変調装置１１２又は投射光学系１１３を制御することができる。
【００７１】
また、投射光学系１１３は、投射レンズ１１４を備える。パラメーターは、投射レンズ１１４のレンズ移動量に関するパラメーターであるレンズ移動量パラメーターを含む。投射制御部１６１は、調整部１６３により調整されたレンズ移動量パラメーターに基づき、投射レンズ１１４のレンズ移動量を調整する。従って、端末装置３００の操作により投射レンズ１１４のレンズ移動量を調整することができる。
【００７２】
また、パラメーターは、投射レンズ１１４のズーム量に関するパラメーターであるズーム量パラメーターを含む。投射制御部１６１は、調整部１６３により調整されたズーム量パラメーターに基づき、投射レンズ１１４のズーム量を調整する。従って、端末装置３００の操作により、投射レンズ１１４のズーム量を調整することができる。
【００７３】
また、パラメーターは、画像データに対する画像処理に関するパラメーターである画像処理パラメーターを含む。画像処理部１５２は、調整部１６３により調整された画像処理パラメーターに基づき、画像データに対する画像処理を実行する。光変調装置１１２は、画像処理部１５２による画像処理が施された画像データに基づき光源部１１１が発する光を変調する。従って、端末装置３００の操作により、画像の明るさや色合いを調整することができる。
【００７４】
また、画像処理パラメーターは、画像データに対する形状補正に関するパラメーターである形状補正パラメーターを含む。画像処理部１５２は、調整部１６３により調整された形状補正パラメーターに基づき、画像データに対する形状補正を実行する。表示部１１０は、画像処理部１５２による形状補正が施された画像データに基づく画像を表示する。従って、端末装置３００の操作により、表示部１１０により表示される画像の形状補正を行うことができる。
【００７５】
また、プロジェクター１００は、外部の装置が有するＷｅｂブラウザーからの要求に応じてＷｅｂページを提供するＷｅｂサーバーを有する。端末装置３００は、Ｗｅｂブラウザーを有する。端末装置３００のＷｅｂブラウザーは、プロジェクター１００のＷｅｂサーバーから提供されるＷｅｂページのデータに基づき、操作入力部３０４で受け付けた操作に対応する操作信号を送信し、プロジェクター１００から送信される通知信号に基づき報知を行う。従って、端末装置３００が有するＷｅｂブラウザーを操作して、プロジェクター１００が表示する画像の表示態様を調整することができる。
【００７６】
また、端末装置３００は、報知を行う振動装置３０６を備える。端末装置３００は、移動体通信部３０１により通知信号を受信した場合に、振動装置３０６により端末装置３００を振動させる。従って、プロジェクター１００は、端末装置３００に通知信号を送信して、端末装置３００を振動させることができる。
【００７７】
また、端末装置３００は、報知を行うスピーカー３０８を備える。端末装置３００は、移動体通信部３０１により通知信号を受信した場合に、報知音をスピーカー３０８により放音させる。従って、プロジェクター１００は、端末装置３００に通知信号を送信して、端末装置３００から報知音を放音させることができる。
【００７８】
上述した実施形態は、本発明の好適な実施形態を示すものであり、本発明を限定するものではなく、本発明の要旨を逸脱しない範囲内において種々の変形実施が可能である。
例えば、上述した実施形態では、端末装置３００を操作して、投射レンズ１１４のレンズ移動量を変更する場合を例に説明した。これ以外の例として、端末装置３００の操作により、ズーム量やフォーカス量の調整、画像の明るさや色合いの調整、形状補正、歪曲収差の補正等の補正をプロジェクター１００に実行させてもよい。
【００７９】
ズームを調整する場合、調整部１６３は、投射レンズ１１４のズーム量に関するパラメーターであるズーム量パラメーターを、端末装置３００から送信される操作信号に応じて変更する。
投射制御部１６１は、調整部１６３により変更されたズーム量パラメーターに基づいて、投射レンズ１１４の駆動方向、及び投射レンズ１１４の移動量（ズーム量）を算出する。投射制御部１６１は、算出した駆動方向及び移動量（ズーム量）に基づいて、投射光学系駆動部１２３を制御する制御信号を生成し、投射光学系駆動部１２３に出力する。投射光学系駆動部１２３は、投射制御部１６１から入力される制御信号に基づいて、投射光学系駆動部１２３が有するステッピングモーターを駆動して投射レンズ１１４のレンズ位置を制御し、投射レンズ１１４のズーム量を調整する。また、フォーカス量を調整する場合、調整部１６３、投射制御部１６１及び投射光学系駆動部１２３が、ズーム量の調整の場合と同様に動作する。
【００８０】
また、画像の色合い調整や、明るさ調整を行う場合、調整部１６３は、画像の色合い又は明るさを調整する画像処理パラメーターを、端末装置３００から送信される操作信号に応じて変更し、画像処理部１５２に出力する。画像処理部１５２は、調整部１６３から入力される画像処理パラメーターの値に応じて、フレームメモリー１５３に展開された画像データの明るさ又は色合いを調整する画像処理を行う。画像処理部１５２は、明るさ又は色合いを調整された画像データを表示画像データとして光変調装置駆動部１２２に出力する。光変調装置駆動部１２２は、画像処理部１５２から入力される表示画像データに基づいてＲ，Ｇ，Ｂの画像信号をそれぞれに生成し、生成した画像信号に基づいて液晶パネルを駆動し、各液晶パネルに画像を描画する。また、画像の明るさを調整する場合、投射制御部１６１が、調整部１６３から入力される画像処理パラメーターの値に応じて、光源部１１１の輝度を調整してもよい。
【００８１】
また、形状補正の場合、調整部１６３は、画像の形状を補正する形状補正パラメーターを、端末装置３００から送信される操作信号に応じて変更し、画像処理部１５２に出力する。この形状補正パラメーターは、フレームメモリー１５３に展開される画像データを、フレームメモリー１５３の垂直方向及び水平方向の少なくとも一方に拡大又は縮小させる拡大率又は縮小率を示すパラメーターである。形状補正パラメーターは、画像処理パラメーターに含まれるパラメーターである。
画像処理部１５２は、調整部１６３から入力される形状補正パラメーターの値に応じて、フレームメモリー１５３に展開された画像データの形状を補正し、補正した画像データを表示画像データとして光変調装置駆動部１２２に出力する。光変調装置駆動部１２２は、画像処理部１５２から入力される表示画像データに基づいてＲ，Ｇ，Ｂの画像信号をそれぞれに生成し、生成した画像信号に基づいて液晶パネルを駆動し、各液晶パネルに画像を描画する。また、歪曲収差を補正する場合も、調整部１６３、画像処理部１５２及び光変調装置駆動部１２２は、形状補正の場合と同様に動作する。
【００８２】
また、上述した実施形態では、第１の報知として、スピーカー３０８から鳴音パターンや音階、リズム音等を放音させ、第２の報知として、振動装置３０６により端末装置３００の筐体を振動させた。これ以外の報知の方法として、第１の報知及び第２の報知を、スピーカー３０８による放音とし、第１の報知と第２の報知とで鳴音パターンや音階、リズム音等を変更してもよい。また、第１の報知及び第２の報知を、振動装置３０６による振動とし、第１の報知と第２の報知とで振動装置３０６の振動強度や、振動パターンを変更してもよい。また、端末装置３００にＬＥＤを設けて、ＬＥＤの点灯又は点滅により第１の報知及び第２の報知を行うこともできる。例えば、第１の報知と、第２の報知とでＬＥＤの点滅パターンを変更してもよい。さらに、ＬＥＤの点灯又は点滅と、振動装置３０６の振動又はスピーカー３０８による放音とを組み合わせて、第１の報知及び第２の報知の少なくとも一方を行ってもよい。
【００８３】
また、上述した実施形態では、端末装置３００の制御部３１０がＷｅｂブラウザーを実行し、プロジェクター１００は、Ｗｅｂブラウザーの要求に応じてＷｅｂページを提供するＷｅｂサーバーを実行することで図４〜図６に示す処理を行った。この他に、端末装置３００に専用のアプケーションプログラムをインストールし、端末装置３００の制御部３１０に、このアプケーションプログラムを実行させ、端末装置３００の処理を実現させてもよい。この場合、端末装置３００とプロジェクター１００とを、無線ＬＡＮ、Ｂｌｕｅｔｏｏｔｈ、ＵＷＢ、赤外線通信等の近距離無線通信方式、又は移動体通信回線を利用した無線通信方式によりデータ通信可能に接続するとよい。端末装置３００は、アプケーションプログラムを実行し、操作入力部３０４で受け付けた操作に対応した操作信号をプロジェクター１００に送信する。プロジェクター１００は、端末装置３００から送信される操作信号を受信し、受信した操作信号に応じてパラメーターを変更し、変更したパラメーターに基づき表示部１１０により表示される画像の表示態様を調整する。また、プロジェクター１００は、変更されたパラメーターが変更可能範囲の上限又は下限に達したと判定する場合には、通知信号を端末装置３００に送信する。
【００８４】
また、本発明の表示装置は、透過型液晶パネルを用いた液晶プロジェクターとして説明したが、反射型の液晶パネルやデジタルミラーデバイスを用いたプロジェクターであってもよい。また、表示装置は、スクリーンＳＣに画像を投射するプロジェクターに限定されない。例えば、表示装置は、液晶表示パネルに画像を表示する液晶モニター若しくは液晶テレビ、又はＰＤＰ（プラズマディスプレイパネル）に画像を表示するモニター装置若しくはテレビ受像機、又はＯＬＥＤ（Organic light-emitting diode）やＯＥＬ（Organic Electro-Luminescence）等と呼ばれる有機ＥＬ表示パネルに画像を表示するモニター装置若しくはテレビ受像機等の自発光型の表示装置など、各種の表示装置も本発明の表示装置に含まれる。
【００８５】
また、図２に示すプロジェクター１００及び端末装置３００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【００８６】
また、上述の実施形態では、レンズ移動量パラメーターは、投射レンズ１１４が所定の基準位置から投射方向に直交する方向へ移動した後の移動方向及び移動量を示すとして説明したが、レンズ移動量パラメーターは、この例に限定されない。
【符号の説明】
【００８７】
１…表示システム、１００…プロジェクター、１１０…表示部、１１１…光源部（光源）、１１２…光変調装置（変調部）、１１３…投射光学系（光学部）、１１４…投射レンズ、１２３…投射光学系駆動部（処理部）、１３７…無線通信部、１５２…画像処理部（処理部）、１５３…フレームメモリー、１６０…制御部（通知送信部）、１６１…投射制御部（処理部）、１６２…Ｗｅｂサーバー実行部（通知送信部）、１６３…調整部、１６４…判定部、１６５…認証部、１６６…セッション管理部、１７０…記憶部、２００…画像供給装置、３００…端末装置、３０１…移動体通信部（送信部、通知受信部）、３０２…表示部、３０３…表示パネル、３０４…操作入力部（操作部）、３０５…記憶部、３０６…振動装置（報知部）、３０７…音声処理部（報知部）、３０８…スピーカー（報知部）、３０９…マイク、３１０…制御部（送信部、通知受信部）。
【図１】
0006657795.tif 000002
【図２】
0006657795.tif 000003
【図３】
0006657795.tif 000004
【図４】
0006657795.tif 000005
【図５】
0006657795.tif 000006
【図６】
0006657795.tif 000007
【図７】
0006657795.tif 000008